【手続補正書】
【提出日】平成18年1月5日(2006.1.5)
【手続補正１】
【補正対象書類名】明細書
【補正対象項目名】発明の名称
【補正方法】変更
【補正の内容】
【発明の名称】撮像装置
【手続補正２】
【補正対象書類名】明細書
【補正対象項目名】特許請求の範囲
【補正方法】変更
【補正の内容】
【特許請求の範囲】
【請求項１】  撮影画像確認用の液晶表示部と、該液晶表示部上に配設されたタッチパネルと、撮影レンズ、ＡＦモジュール及びＣＣＤ等からなる撮像ユニットと、撮像ユニットにて入力した画像の所望の被写体までの距離を測定する測距回路と、所望の被写体に合焦するよう前記撮影ユニットを駆動するためのオートフォーカス駆動回路とを備え、液晶表示部に表示されている撮影範囲内の被写体のうち、合焦させたい箇所であるフォーカスブロックを前記タッチパネルにて指定し、当該指定されたフォーカスブロック内の被写体までの距離を前記測距回路にて測定し、該測定結果に基づいて前記オートフォーカス駆動回路を制御することにより、撮影範囲の任意の位置に存在する被写体に焦点を合わせた撮影を行うことを特徴とする撮像装置。
【請求項２】  撮影画像確認用の液晶表示部と、該液晶表示部上に配設されたタッチパネルと、撮影レンズ、ＡＦモジュール及びＣＣＤ等からなる撮像ユニットと、撮像ユニットにて入力した画像の所望の被写体までの距離を測定する測距回路と、所望の被写体に合焦するよう前記撮影ユニットを駆動するためのオートフォーカス駆動回路とを備え、液晶表示部に表示されている撮影範囲内の被写体のうち、合焦させたい箇所をタッチパネル上で指定することにより、当該指定された範囲内の被写体までの距離を前記測距回路にて測定し、該測定結果に基づいて前記オートフォーカス駆動回路を制御すると共に、前記指定範囲内の被写体をズームすることにより、撮影範囲の任意の位置に存在し、かつ指定範囲内の被写体に焦点を合わせ、かつ当該指定範囲内の被写体をズームした状態で撮影を行うことを特徴とする撮像装置。
【請求項３】  撮影画像確認用の液晶表示部と、該液晶表示部上に配設されたタッチパネルと、撮影レンズ、ＡＦモジュール及びＣＣＤ等からなる撮像ユニットと、撮像ユニットにて入力した画像の所望の被写体までの距離を測定する測距回路と、所望の被写体に合焦するよう前記撮影ユニットを駆動するためのオートフォーカス駆動回路とを備え、前記液晶表示部に日付文字ブロックを表示させ、かつ、該日付文字ブロックをタッチパネル上でドラッグすることにより任意の位置に移動させることを特徴とする撮像装置。
【請求項４】  撮影画像確認用の液晶表示部と、該液晶表示部上に配設されたタッチパネルと、撮影レンズ、ＡＦモジュール及びＣＣＤ等からなる撮像ユニットと、撮像ユニットにて入力した画像の所望の被写体までの距離を測定する測距回路と、所望の被写体に合焦するよう前記撮影ユニットを駆動するためのオートフォーカス駆動回路とを備え、前記液晶表示部に文字ブロックを表示させ、かつ、該文字ブロックをタッチパネル上でドラッグすることにより任意の位置に移動させることを特徴とする撮像装置。
【請求項５】  前記文字ブロックがサブウインドウであって、該サブウインドウ内に表示された定型文字を選択することで任意の場所に選択した文字入れ撮影を行うことを特徴とする請求項４記載の撮像装置。
【手続補正３】
【補正対象書類名】明細書
【補正対象項目名】０００１
【補正方法】変更
【補正の内容】
【０００１】
【発明の属する技術分野】
本発明は撮像装置に関し、特に、撮影画像確認用の表示装置を備えた電子カメラの撮影設定に関する。
【手続補正４】
【補正対象書類名】明細書
【補正対象項目名】０００３
【補正方法】変更
【補正の内容】
【０００３】
【発明が解決しようとする課題】
しかしながら、特開平１１−２３４６０４号公報に記載された従来の自動焦点カメラも主要被写体が撮影範囲の中央部分に存在しない場合には、まず、主要被写体を撮影範囲の中心に配置するようカメラを主要被写体に向け、シャッターボタンを一方向にスライドさせてフォーカスロックを行った後、カメラを所望のアングルに再度調整する必要があり、カメラの向きを調整しなければならないという問題点があった。本発明は、主要被写体が撮影範囲の中央部分に存在しない場合であっても、カメラの向きを調整することなく、主要被写体に焦点を合わせることができる撮像装置を提供することを目的とする。
【手続補正５】
【補正対象書類名】明細書
【補正対象項目名】０００４
【補正方法】変更
【補正の内容】
【０００４】
【課題を解決するための手段】
本発明に係る撮像装置の請求項１記載の発明は、撮影画像確認用の液晶表示部と、該液晶表示部上に配設されたタッチパネルと、撮影レンズ、ＡＦモジュール及びＣＣＤ等からなる撮像ユニットと、撮像ユニットにて入力した画像の所望の被写体までの距離を測定する測距回路と、所望の被写体に合焦するよう前記撮影ユニットを駆動するためのオートフォーカス駆動回路とを備え、液晶表示部に表示されている撮影範囲内の被写体のうち、合焦させたい箇所であるフォーカスブロックを前記タッチパネルにて指定し、当該指定されたフォーカスブロック内の被写体までの距離を前記測距回路にて測定し、該測定結果に基づいて前記オートフォーカス駆動回路を制御することにより、撮影範囲の任意の位置に存在する被写体に焦点を合わせた撮影を行う。これにより、カメラアングルを変えること無く、撮影範囲内の希望の被写体に対してフォーカスの合った画像を撮影することができる。また、本発明に係る撮像装置の請求項２記載の発明は、撮影画像確認用の液晶表示部と、該液晶表示部上に配設されたタッチパネルと、撮影レンズ、ＡＦモジュール及びＣＣＤ等からなる撮像ユニットと、撮像ユニットにて入力した画像の所望の被写体までの距離を測定する測距回路と、所望の被写体に合焦するよう前記撮影ユニットを駆動するためのオートフォーカス駆動回路とを備え、液晶表示部に表示されている撮影範囲内の被写体のうち、合焦させたい箇所をタッチパネル上で指定することにより、当該指定された範囲内の被写体までの距離を前記測距回路にて測定し、該測定結果に基づいて前記オートフォーカス駆動回路を制御すると共に、前記指定範囲内の被写体をズームすることにより、撮影範囲の任意の位置に存在し、かつ指定範囲内の被写体に焦点を合わせ、かつ当該指定範囲内の被写体をズームした状態で撮影を行う。これによりカメラアングルを変えること無く、撮影範囲内の希望の被写体に対してフォーカスが合い、かつ、ズームした画像を撮影することができる。
【手続補正６】
【補正対象書類名】明細書
【補正対象項目名】０００５
【補正方法】変更
【補正の内容】
【０００５】
また、本発明に係る撮像装置の請求項３記載の発明は、撮影画像確認用の液晶表示部と、該液晶表示部上に配設されたタッチパネルと、撮影レンズ、ＡＦモジュール及びＣＣＤ等からなる撮像ユニットと、撮像ユニットにて入力した画像の所望の被写体までの距離を測定する測距回路と、所望の被写体に合焦するよう前記撮影ユニットを駆動するためのオートフォーカス駆動回路とを備え、前記液晶表示部に日付文字ブロックを表示させ、かつ、該日付文字ブロックをタッチパネル上でドラッグすることにより任意の位置に移動させることができる。これにより、被写体に影響のない場所に日付を挿入した画像を撮影することができる。また、本発明に係る撮像装置の請求項４記載の発明は、撮影画像確認用の液晶表示部と、該液晶表示部上に配設されたタッチパネルと、撮影レンズ、ＡＦモジュール及びＣＣＤ等からなる撮像ユニットと、撮像ユニットにて入力した画像の所望の被写体までの距離を測定する測距回路と、所望の被写体に合焦するよう前記撮影ユニットを駆動するためのオートフォーカス駆動回路とを備え、前記液晶表示部に文字ブロックを表示させ、かつ、該文字ブロックをタッチパネル上でドラッグすることにより任意の位置に移動させることができる。これにより、被写体に影響のない場所に文字を挿入した画像を撮影することができる。また、本発明に係る撮像装置の請求項５記載の発明は、上記請求項４記載の発明に加え、前記文字ブロックがサブウインドウであって、該サブウインドウ内に表示された定型文字を選択することで任意の場所に選択した文字入れ撮影を行うことができる。これにより任意の指定箇所に定型文字を選択した状態で画像を撮影することができる。